(57)【要約】【課題】キャップの内側側面と透明性液状物の液面との境界において、液面を容易に視認でき、所定液量をほぼ正確にかつ容易に計量できる計量キャップ及び計量キャップを備えた容器を提供する。【解決手段】透明性液状物を充填する容器本体の口部に着脱可能に装着され、容器本体から取り外し、倒立状にして開口部１０より透明性液状物を注ぎ込むことにより透明性液状物を計量する計量キャップ１であって、計量キャップ１が不透明性材料からなり、計量キャップ１の内側の底面２１に、内側側面２２の少なくとも計量マーク２４が存在する高さ領域の色とは異なる色に着色された色領域１４を設けた。【選択図】図１
2018151410.tif 000002
【特許請求の範囲】
【請求項１】
透明性液状物を充填する容器本体の口部に着脱可能に装着され、
前記容器本体から取り外し、倒立状にして開口部より透明性液状物を注ぎ込むことにより透明性液状物を計量する計量キャップであって、
前記計量キャップが不透明性材料からなり、
前記計量キャップの内側の底面に、内側側面の少なくとも計量マークが存在する高さ領域の色とは異なる色に着色された色領域を設けたことを特徴とする計量キャップ。
【請求項２】
前記色領域の色を、前記内側側面の少なくとも計量マークが存在する高さ領域の色に比べて、濃い色に設定した請求項１に記載の計量キャップ。
【請求項３】
前記内側側面の少なくとも計量マークが存在する高さ領域の色が概ね白色である請求項１又は２に記載の計量キャップ。
【請求項４】
前記底面が内部空間に向けて隆起し、前記内側側面と互いに離隔する盛り上がり部を有し、前記盛り上がり部表面の少なくともキャップ開口部側となる先端側の部分に前記色領域を設けた請求項１〜３のいずれか１項に記載の計量キャップ。
【請求項５】
前記盛り上がり部の形状が、円柱状又はドーム状である請求項４に記載の計量キャップ。
【請求項６】
前記盛り上がり部を囲むように前記底面から立ち上がり、前記キャップを前記容器本体の口部に装着する際に該口部の周りに当接して液漏れを防止する円環状部材を設け、該円環状部材の高さを前記盛り上がり部の高さよりも低く設定するとともに、前記盛り上がり部表面の前記円環状部材よりも高い先端側部分に、前記色領域を設けた請求項４又は５に記載の計量キャップ。
【請求項７】
前記底面から立ち上がり、前記キャップを前記容器本体の口部に装着する際に該口部の周りに当接して液漏れを防止する円環状部材を設け、前記底面の該円環状部材で囲まれた領域に前記色領域を設けた請求項１に記載の計量キャップ。
【請求項８】
前記計量マークを、前記内側側面に対して凹状に設けた請求項１〜７のいずれか１項に記載の計量キャップ。
【請求項９】
口部を有し、透明性液状物が充填される容器本体と、前記口部に嵌合手段を介して着脱可能に装着される請求項１〜８のいずれか１項に記載の計量キャップと、
を備えることを特徴とする容器。
【請求項１０】
透明性液状物が、液状化粧品、液状医薬部外品又は液状医薬品である請求項９に記載の容器。
【発明の詳細な説明】
【技術分野】
【０００１】
本発明は計量キャップ及び容器に関し、より詳しくは、透明性液状物が充填される容器本体の口部に着脱可能に装着され、透明性液状物をほぼ正確にかつ容易に計量できるキャップ及び該キャップを備える容器に関する。
【背景技術】
【０００２】
洗口液等の液状化粧品や液状医薬部外品、うがい薬等の液状医薬品、洗濯用、家庭用、住宅・家具用の各洗剤等の液状物の多くは、樹脂材料等からなるボトル状容器に充填された形態で市場に流通している。該容器は、液状物が充填され、液状物の注ぎ口となる口部を有する容器本体と、容器本体の口部に装着され、液状物を計量する目安になる目盛や文字記号が内側側面に設けられたキャップとからなる。そして、キャップを容器本体の口部から取り外し、倒立状にしてその内部に液状物を注ぎ込むことにより、液状物を計量するようになっている。
【０００３】
洗濯用洗剤等の光による品質劣化が少ない液状物を充填する容器のキャップは主に透明材料からなり、目盛と液面との一致をキャップの横方向から比較的容易に視認することができる。しかし、液状化粧品、液状医薬部外品、液状医薬品等は、光による品質劣化を防止する観点から、多くの場合不透明材料からなるキャップを備えた容器に充填されているため、計量時にはキャップ開口部から液面を確認することになり、目盛や文字記号と液面との一致を視認しづらくなっている。特に、不透明材料からなるキャップで透明性液状物を計量する場合は、液面の位置の視認が難しいことがある。
【０００４】
また、液状物の中でも液状化粧品、液状医薬部外品、液状医薬品等は、口に含んだり、飲み込んだり又は肌に塗布したりするものであることから、市場では無色又はごく薄く着色された透明性液状物の形態が好まれる傾向にあり、これらの液状物を不透明化又は濃色化することにより視認性の向上を図ることは望まれていない。また、これらの液状物は、１回当りの用量が定められているので、各種洗剤等よりも正確な計量が必要になる。このため、透明性液状物を正確かつ容易に計量できる計量キャップが要望されている。
【０００５】
特許文献１は、貫通穴である表示用窓が側壁に設けられた内筒体及び該内筒体の外側側面に接するように設けられかつ該内筒体とは異なる色に着色された外筒体からなる計量筒体と、該計量筒体を取り囲んで一体成形されたキャップ本体とからなり、内筒体の表示用窓から見える外筒体の内側側面が内筒体とは異色であることを利用して、液状物を計量するように構成した計量キャップを開示している。しかしながら、キャップの内側側面に異なる色領域を設けても、透明性液状物の液面の視認性はあまり向上しない。
【０００６】
特許文献２は、透明性筒体である側壁と、該筒体の下端に嵌合される底壁と、側壁の内側側面に沿って底壁の底面から突出する有色の断面視段差状スケール板とからなり、該スケール板の各段の頂面と液面とが一致するまで液状物を注ぎ込むことにより、計量を行なうように構成した計量キャップを開示している。しかしながら、該計量キャップでは、スケール板全体を着色しかつスケール板を側壁の内側側面に沿って設けていること等から、内部の着色面積が多くなり過ぎ、注ぎ込んだ透明性液状物が着色されたように見えることがないので、液面の視認性は向上しない。
【先行技術文献】
【特許文献】
【０００７】
【特許文献１】特開平８−１１３２５３号公報
【特許文献２】特開２００７−０９１３０４号公報（請求項１及び請求項５）
【発明の概要】
【発明が解決しようとする課題】
【０００８】
本発明の目的は、キャップの内側側面と透明性液状物の液面との境界において、該液面を容易に視認でき、所定液量をほぼ正確にかつ容易に計量できる計量キャップ及び該計量キャップを備えた容器を提供することである。
【課題を解決するための手段】
【０００９】
本発明者は、上記課題を解決するために鋭意研究を重ねた結果、倒立状にしたキャップの内側底面に、内側側面における計量マークが存在する領域とは異なる色に着色された色領域を設けることにより、所定液量をほぼ正確にかつ容易に計量できる計量キャップが得られることを見出し、本発明を完成するに至った。
【００１０】
すなわち、本発明は、下記（１）〜（８）の計量キャップ及び下記（９）〜（１０）の容器を提供する。
【００１１】
（１）透明性液状物を充填する容器本体の口部に着脱可能に装着され、容器本体から取り外し、倒立状にして開口部より透明性液状物を注ぎ込むことにより透明性液状物を計量するキャップであって、内側の底面に、内側側面の少なくとも計量マークが存在する高さ領域の色とは異なる色に着色された色領域を設けたことを特徴とする計量キャップ。
【００１２】
上記（１）の計量キャップによれば、主に光の反射や屈折等によるものと考えられるが、透明性液状物が該キャップの内側底面に設けられた色領域と同じ色に着色されたように見え、特に該キャップの内側側面と液面との境界近傍で液面が着色されて見える度合いが高まって濃く着色されて見えるので、液面の視認性が向上し、計量マークと液面との一致を非常に認識し易くなり、所定液量をほぼ正確にかつ容易に計量できる。
【００１３】
本明細書において、計量マークとは、キャップの内側側面に設けられ、所定液量を計量するための目印（計量目標）となるものである。従って、計量マークとしては計量目標になるものであれば形状や寸法等は特に限定されず、例えば、線状の目盛、記号、文字、凸部、溝等の凹部、段差、模様、粗面化領域、着色領域等が挙げられる。これらの計量マークは１種を単独で又は２種以上を組み合わせて内側側面に設けることができる。計量マークは、好ましくは、内側側面の周方向に延びるように設けられ、円環状に設けてもよく、所定の間隔を空けて断続的に設けてもよい。また、計量マークを上下方向に複数設け、上段の計量マークを計量目標とし、下段の計量マークに計量終了予告機能を持たせてもよい。
【００１４】
（２）色領域の色を、内側側面の少なくとも計量マークが存在する高さ領域の色に比べて、濃い色に設定した上記（１）の計量キャップ。
上記（２）の計量キャップによれば、内側側面と液面との境界近傍における液面のみが濃く着色されて見える度合いがより高まるので、液面の視認性がより向上する。
【００１５】
（３）内側側面の少なくとも計量マークが存在する高さ領域の色が概ね白色である上記（１）又は（２）の計量キャップ。
上記（３）の計量キャップによれば、内側側面と液面との境界近傍において液面のみが濃く着色されて見える度合いがより一層高まり、内側側面と接する液面が色領域の色を反映した濃色の円環状領域に見えるので、液面の視認性ひいては計量性がより一層向上する。
【００１６】
本明細書において、概ね白色とは、純白色だけでなく、淡黄白色、薄く肌色味を帯びた白色、薄く黒味を帯びた白色、薄く青味を帯びた白色、薄く赤味を帯びた白色等の、純白色に他の色が薄く混じった白色をも含む。別の言い方をすれば、概ね白色とは、少なくとも新聞紙（白色度５５）よりも白く感じられる白色であり、好ましくは白色度６０を超える白色、より好ましくは白色度７０を超える白色である。
【００１７】
（４）底面が内部空間に向けて隆起し、内側側面と互いに離隔する盛り上がり部を有し、盛り上がり部表面の少なくともキャップ開口部側となる先端側の部分に色領域を設けた上記（１）〜（３）のいずれかの計量キャップ。
上記（４）の計量キャップによれば、キャップ内に注ぎ込まれた透明性液状物全体が色領域と同色に見え易くなると共に、内側側面と液面との境界近傍における液面の色の濃さが高まり、色の濃い円環状領域を明瞭に視認できるので、液面の視認性及び計量性がさらに向上する。
【００１８】
（５）盛り上がり部の形状が、円柱状又はドーム状である上記（４）の計量キャップ。
上記（５）の計量キャップによれば、盛り上がり部の形状を円柱状又はドーム状とすることにより、上記（４）の計量キャップの効果が得られ易くなる。また、盛り上がり部の形成が容易になる。
【００１９】
（６）盛り上がり部を囲むように底面から立ち上がり、キャップを容器本体の口部に装着する際に該口部の周りに当接して液漏れを防止する円環状部材を設け、該円環状部材の高さを盛り上がり部の高さよりも低く設定するとともに、盛り上がり部表面の円環状部材よりも高い先端側部分に、色領域を設けた上記（４）又は（５）の計量キャップ。
【００２０】
上記（６）の計量キャップによれば、該キャップによる容器本体口部の密封性を向上させるために、該口部の周囲に当接する円環状部材（シールリング）を設けても、盛り上がり部の円環状部材よりも高い先端側部分に色領域を設けることにより、色領域で反射される光の大部分が円環状部材により遮られることなく内側側面に到達するため、内側側面と液面との境界近傍の液面のみが濃く着色されて見え、液面の視認性が向上する効果が十分に発揮される。
【００２１】
（７）底面から立ち上がり、キャップを容器本体の口部に装着する際に該口部の周りに当接して液漏れを防止する円環状部材を設け、底面の該円環状部材で囲まれた領域に色領域を設けた上記（１）の計量キャップ。
上記（７）の計量キャップによれば、上記（１）の計量キャップと同様に、液面の視認性及び計量性の向上を図ることができる。
【００２２】
（８）計量マークを、内側側面に対して凹状に設けた上記（１）〜（７）のいずれかの計量キャップ。
上記（８）の計量キャップによれば、透明性液状物を計量マークが浸る程度に注ぎ込むと、内側側面と液面との境界近傍において液面が濃く着色されて見える度合いよりも、計量マーク自体が非常に濃く着色され、液中に浮き上がったように非常に鮮明に視認できるので、例えば、該計量マークの上端辺りを計量目標とすれば、所定液量をほぼ正確にかつ容易に計量できる。この効果が得られる理由は現状では十分明らかではないが、該キャップに透明性液状物を注ぎ込むと、凹状に設けた計量マーク中に空気の小泡が形成され、底面の色領域で反射した光が該小泡表面で乱反射することにより、計量マーク全体が底面の色領域と同色に光るためであると推測されている。
【００２３】
（９）口部を有し、透明性液状物が充填される容器本体と、口部に嵌合手段を介して着脱可能に装着される上記（１）〜（８）のいずれかの計量キャップと、を備えることを特徴とする容器。
上記（９）の容器によれば、上記（１）〜（８）のいずれかの計量キャップを備えているので、透明性液状物の所定量を容易にかつほぼ正確に計量できる。
【００２４】
（１０）透明性液状物が、液状化粧品、液状医薬部外品又は液状医薬品である上記（９）の容器。
上記（１０）の容器によれば、該容器に充填される透明性液状物として、１回当りの用量が定められている、洗口液等の液状化粧品や液状医薬部外品、うがい薬等の液状医薬品を用いることにより、該透明性液状物の効果を無駄なく発揮させることができると共に、用量を超える使用を抑制することができる。なお、例えば洗口液には、液状化粧品に分類されるものと、液状医薬部外品に分類されるものとがある。
【発明の効果】
【００２５】
本発明によれば、透明性液状物をほぼ正確にかつ容易に計量できる計量キャップ及び該キャップを備えた容器を提供できる。
【図面の簡単な説明】
【００２６】
【図１】本発明の第１実施形態の計量キャップの概略構成を示す模式図である。
【図２】図１に示す計量キャップの変形例の概略構成を示す模式図である。
【図３】図１に示す計量キャップの別の変形例の概略構成を示す模式図である。
【図４】図１に示す計量キャップの別の変形例の概略構成を示す模式図である。
【図５】図１に示す計量キャップの別の変形例の概略構成を示す模式図である。
【図６】図１に示す計量キャップの別の変形例の概略構成を示す模式図である。
【図７】図１に示す計量キャップの別の変形例の概略構成を示す模式図である。
【図８】本発明の第２実施形態の計量キャップの概略構成を示す模式図である。
【図９】図８に示す計量キャップの変形例の概略構成を示す模式図である。
【図１０】図８に示す計量キャップの別の変形例の概略構成を示す模式図である。
【図１１】図８に示す計量キャップの別の変形例の概略構成を示す模式図である。
【図１２】本発明の第３実施形態の計量キャップの概略構成を示す模式図である。
【図１３】図１２に示す計量キャップの変形例の概略構成を示す模式図である。
【図１４】図１２に示す計量キャップの別の変形例の概略構成を示す模式図である。
【図１５】図１２に示す計量キャップの別の変形例の概略構成を示す模式図である。
【図１６】本発明の第４実施形態の計量キャップの概略構成を示す模式図である。
【図１７】図１６に示す計量キャップの変形例の概略構成を示す模式図である。
【図１８】図１６に示す計量キャップの別の変形例の概略構成を示す模式図である。
【図１９】図１６に示す計量キャップの別の変形例の概略構成を示す模式図である。
【図２０】実験用キャップの概略構成を示す模式図である。
【図２１】実験結果を示すグラフである。
【図２２】実験結果を示すグラフである。
【図２３】実験結果を示すグラフである。
【発明を実施するための形態】
【００２７】
図１は、本発明の第１実施形態である計量キャップ（以下単に「キャップ」と呼ぶことがある）１の概略構成を示す模式図である。図１〜図１９において、（ａ）は外観形状を示す斜視図、（ｂ）は倒立状態での斜視図、（ｃ）は倒立状態での断面斜視図である。ま    た、図２〜図１９において、キャップ１と共通する部材や領域は、図１と同じ参照符号を付して説明を省略する。キャップ１は、開口部１０側に突出する頂部１３ｂを有する盛り上がり部１３を備え、頂部１３ｂの全表面に色領域１４を設けたことを特徴とする。
【００２８】
キャップ１は有底円筒状の外形を有し、キャップ１の開口部１０を臨む内側の底面２１を有する底壁１１と、底壁１１の周縁部から立ち上がり、その内側側面２２に計量マーク２４及びキャップ１を容器本体の口部（不図示）に装着するための嵌合部２５を有する側壁１２と、底面２１の一部が内側側面２２と離隔しつつキャップ１の内部空間に向けて隆起した盛り上がり部１３と、盛り上がり部１３の開口部１０側（先端側）表面の、内側側面２２とは異なる色に着色された色領域１４と、盛り上がり部１３を囲むように底面２１から立ち上がりかつキャップ１を容器本体の口部に装着する際に該口部の回りに当接して液漏れを防止する円環状部材であるシールリング１５と、を備えている。
【００２９】
キャップ１は、透明性液状物が充填された容器本体（不図示）の注ぎ口である口部に着脱可能に装着（外嵌固定）され、該口部から取り外して倒立状にし、透明性液状物を注ぎ込むことで、所定液量を計量する機能を有している。キャップ１の外形は有底円筒状に限定されず、例えば、有底多角形状等の任意の形状とすることができる。
【００３０】
キャップ１及び口部を有する容器本体を構成する材料は透明性材料でも不透明性材料でも良いが、透明性液状物の光による劣化等を抑制する観点から、樹脂材料、ガラス材料等を主成分とする不透明性材料であることが好ましい。液状物としては透明性であれば特に限定されないが、例えば、洗口液等の液状化粧品や液状医薬部外品、うがい薬等の液状医薬品、液状農薬、洗濯用、家庭用、家具・建物用の各種洗剤等が挙げられる。透明性液状物が液状化粧品、液状医薬部外品、液状医薬品等である場合、定められた用量をほぼ正確かつ容易に計量できることから、用量を超えた不必要な使用を抑制できる。
【００３１】
底壁１１は本実施形態ではほぼ円形状であるが、その形状は特に限定されず、例えば、三角形、四角形、六角形、八角形等の多角形状でも良い。
【００３２】
側壁１２の内側側面２２は本実施形態では全体が同じ色である。内側側面２２と液面との境界近傍における液面の視認性を向上させる観点から、内側側面２２は概ね白色とすることが好ましい。計量マーク２４は、開口部１０近傍の内側側面２２を周方向に線状に延びる目盛である。本実施形態では２本線としているが、１本でも３本以上でも良い。嵌合部２５はねじ山である。これを口部の外側側面のねじ山に螺合させることにより、キャップ１を口部に装着する。また、キャップ１の口部からの着脱を容易にするために、任意形状の凹部及び凸部（いずれも不図示）から選ばれる少なくとも１種を、側壁１２の外側側面２３の任意の位置に、例えば、外側側面２３の周方向又は周方向に垂直な方向に所定の間隔を空けて設けてもよい。
【００３３】
盛り上がり部１３は、シールリング１５及び内側側面２２と離隔しつつ、底面２１のほぼ中央から底壁１１と同軸状に隆起し、ほぼ円柱状の基部１３ａと、基部１３ａよりもやや小径のほぼ平坦な頂面を有するドーム（半球）状頂部１３ｂとからなっている。基部１３ａは円柱状に限定されず、角柱状等の任意形状とすることができる。本実施形態では、盛り上がり部１３の開口部１０側（先端側）部分となる頂部１３ｂの表面全体が内側側面２２とは異なる色に着色され、色領域１４になっている。色領域１４は上面視ほぼ円形である。また、色領域１４は、底面２１を基準にして、シールリング１５の上端よりも高い位置にある。
【００３４】
色領域１４の色は特に限定されないが、液面の視認性を向上させる観点から、内側側面２２よりも濃い色であることが好ましい。なお、色の濃さは彩度として定義されており、彩度計等で測定することが可能である。色領域１４の色は特に限定されないが、透明性液状物として液状化粧品、液状医薬部外品や液状医薬品を用いる場合には、奇抜な色に見えると口に含むのに抵抗感があるという観点及び液面の視認性を向上させる観点の両面から、例えば、緑色、赤色、橙色、青色、水色等が好ましい。また、色領域１４を異なる複数の色で染め分けてもよい。このとき、内側側面２２の色を概ね白色とすることにより、液面の視認性及び計量性はより一層向上する。
【００３５】
色領域１４を設けることにより、開口部１０のどの位置からでも、キャップ１内の透明性液状物全体が色領域１４と同色に薄く着色されたように見えるとともに、内側側面２２との境界近傍の液面が他の部分よりも濃く着色されたように見えるので、液面の視認性及び計量性が顕著に向上する。
【００３６】
シールリング１５は、内側では盛り上がり部１３と離隔し、外側では内側側面２２と離隔している。キャップ１を容器本体の口部に装着した時、口部の先端部分は、盛り上がり部１３とシールリング１５との間に挿入され、シールリング１５が該口部の回りに当接することにより口部が密閉され、容器本体からの液漏れが防止される。シールリング１５の高さは、本実施形態では、シールリング１５の上端が、盛り上がり部１３の色領域１４を設けた頂部１３ｂよりも低い位置になるように設定されているので、色領域１４の効果が顕著になる。
【００３７】
本実施形態では、底壁１１と側壁１２との境界部分は、内側及び外側共になだらかな曲面（断面視ほぼ扇状）となっているが、これに限定されず、例えば、底壁１１に対して側壁１２がほぼ垂直に立ち上がるように構成してもよい。
【００３８】
キャップ１の寸法は、容器本体（不図示）に設定される透明性液状物の充填量、容器本体の寸法等に応じて適宜選択されるので、限定はされないが、その一例を示せば、直径が２０〜５０ｍｍ程度、好ましくは２５〜３５ｍｍ程度であり、高さが２〜５ｃｍ程度、好ましくは２．５〜４．５ｃｍ程度である。これにより、例えば、１０〜４０ｍｌ程度の透明性液状物を容易に計量できる。また、キャップ１は、例えば２色成形法等を利用して作製することができる。また、色領域１４を別部材とし、色領域１４以外の上記構成を備えるキャップ本体に色領域１４を接着、嵌合、熱溶着等の適切な手段で取り付けることにより、キャップ１を作製してもよい。この場合、色領域１４は、樹脂材料、ゴム材料、エラストマー材料等で構成される色付きのパッキン等の形態となる。
【００３９】
キャップ１によれば、キャップ１内に注ぎ込まれた透明性液状物全体が色領域１４と同色に薄く染まって見えるとともに、内側側面２２と液面との境界近傍の液面のみが色領域１４と同色に濃く染まって見え、色の濃い円環状領域が形成されることにより、内側側面２２に接する液面の視認性が顕著に向上し、液面を計量マーク２４の位置に一致させることが非常に容易になる。その結果、透明性液状物の所定液量をほぼ正確にかつ極めて容易に計量することができる。
【００４０】
図２〜図７は、それぞれ、第１実施形態であるキャップ１の変形例であるキャップ１Ａ、１Ｂ、１Ｃ、１Ｄ、１Ｅ、１Ｆの概略構成を示す模式図である。キャップ１Ａ〜１Ｆは、それぞれ、開口部１０側に突出する頂部を有する盛り上がり部を備え、該頂部にキャップ１の色領域１４と同じ構成を有する色領域を設けたことを特徴とし、キャップ１と同様の効果を達成できる。なお、図２〜図６では計量マークの図示を省略しているが、実際にはキャップ１と同じ位置に計量マークを設けている。
【００４１】
図２に示すキャップ１Ａは、ほぼ円柱状の基部３０ａと、基部３０ａに続いて開口部１０側に突出するドーム（半球）状の頂部３０ｂとからなる盛り上がり部３０、及び頂部３０ｂの表面全体に設けられた色領域３１を有する。盛り上がり部３０の基部３０ａの高さ（底面２１を基準とする高さ、以下同じ）はシールリング１５とほぼ同じであり、頂部３０ｂ及びその表面に設けられた色領域３１はシールリング１５よりも高い位置にある。図３に示すキャップ１Ｂは、高さがシールリング１５よりも低いドーム状の盛り上がり部３２及び盛り上がり部３２の表面全体に設けられた色領域３３を有する。
【００４２】
図４に示すキャップ１Ｃは、ほぼ円柱状の基部３４ａと、基部３４ａに続くドーム（半球）状の頂部３４ｂとからなる盛り上がり部３４、盛り上がり部３４の表面全体に設けられた色領域３５、及び、計量マークの下方において内側側面２２の周方向にほぼ線状に延びる２段の円環状段差２６を有している。本実施形態では盛り上がり部３４の頂部３４ｂはシールリング１５よりも高くなっているが、頂部３４ｂの一部がシールリング１５よりも高くなってもよく、また、盛り上がり部３４とシールリング１５とがほぼ同じ高さになってもよい。
【００４３】
円環状段差２６は、底面２１に対してほぼ平行な水平面２６ａを有しており、水平面２６ａには色領域３５からの反射光が届き難くなっている。このため、該段差２６が液面よりも下位になった場合には、該段差２６が着色されないで液中に浮き上がったように見える効果が得られ、該段差２６の視認が非常に容易になる。一方、内側側面２２との境界近傍の液面のみが濃く着色されて見える効果は、キャップ１等と同じである。従って、本実施形態のように、内側側面２２における計量マークの下位に該段差２６を設けることにより、該段差２６の視認が計量終了の予告機能を果たすので、液面の視認性の向上と相俟って、正確かつ容易な計量を可能にする。なお、水平面２６ａの代わりに斜面を設けても、同様の効果が得られる。また、段差の数は２段に限定されず、１段でも３段以上でも良い。
【００４４】
図５に示すキャップ１Ｄは、ほぼ円柱状の基部３６ａと、基部３６ａに続いて開口部１０側に突出する円錐状の頂部３６ｂとからなる盛り上がり部３６、及び頂部３６ｂの表面全体に設けられた色領域３７を有している。頂部３６ｂは円錐状に限定されず、角錐状等の任意の形状とすることができる。本実施形態では、盛り上がり部３６の基部３６ａの高さはシールリング１５とほぼ同じであり、頂部３６ｂ及びその表面に設けられた色領域３７はシールリング１５よりも高い位置にある。頂部３６ｂはその一部がシールリング１５より高くなっていてもよく、また、盛り上がり部３６がシールリング１５と同等の高さ又はシールリング１５よりも低くてもよいが、本発明の効果を十分に発揮させるためには、本実施形態のように色領域３７がシールリング１５よりも高い位置にあることが好ましい。
【００４５】
図６に示すキャップ１Ｅは、ほぼ円柱状の基部３８ａと、基部３８ａに続いて開口部１０側に突出する五角錐台状の頂部３８ｂとからなる盛り上がり部３８、及び頂部３８ｂの表面全体に設けられた色領域３９を有している。この場合、頂部３８ｂを構成する角錐台の断面形状は五角形に限定されず、三角形、四角形、六角形等の任意の多角形とすることができる。頂部３８ｂの形状は角錐台状に限定されず、円錐台状等の任意の形状とすることができる。また、盛り上がり部３８の高さはシールリング１５とほぼ同じになっているが、これに限定されず、シールリング１５よりも高くても低くてもよい。
【００４６】
図７に示すキャップ１Ｆは、キャップ１と同じ構成を有し、計量マーク２４が内側側面２２を周方向に沿って円環状に延びる溝となっていることを特徴とする。このように、内側側面２２に対して凹状の計量マーク２４を設けることにより、キャップ１Ｆ内に透明性液状物を注ぎ込んだ場合に、該液状物全体が色領域１４の色に薄く染まって見え、かつ、内側側面２２との境界近傍の液面のみが色領域１４の色に濃く染まって見えると共に、この溝自体が前記境界近傍の液面よりも更に濃く染まって非常に鮮明に視認できるようになる。従って、計量マーク２４の位置が顕著に判り易くなり、計量性が大きく向上する。
【００４７】
本実施形態では、円環状の溝１本を設けているが、これに限定されず、１本以上の任意の数の溝を設けることができ、また、複数の短い溝を所定の間隔を空けて内側側面２２の周方向に設けてもよく、内側側面２２の周方向に延びる所定長さの溝を一部に設けてもよい。なお、溝の断面形状は特に限定されないが、形成し易さ等の観点から、半円状、四角形状等が好ましい。
【００４８】
図８は、本発明の第２実施形態であるキャップ２の概略構成を示す模式図である。図９〜図１１は、それぞれキャップ２の変形例２Ａ〜２Ｃの概略構成を示す模式図である。なお、図９〜図１１では計量マーク２４の図示を省略しているが、実際にはキャップ２と同じ位置に計量マークを設けている。
【００４９】
図８〜図１０に示すキャップ２、２Ａ、２Ｂは、いずれも、頂面４０ａが底面２１に対してほぼ平行な平坦面であるほぼ円柱状の盛り上がり部４０及び頂面４０ａ全体に設けられた色領域４１を有している。盛り上がり部４０は、キャップ２ではシールリング１５よりも高くなり、キャップ２Ａではシールリング１５とほぼ同じ高さになり、キャップ２Ｂではシールリング１５よりも低くなっている。キャップ２、２Ａ〜２Ｂのように構成しても、キャップ１と同様の効果が得られる。これらの中でも、内側側面２２と液面との境界近傍における液面の視認性向上の観点から、キャップ２、２Ａが好ましく、キャップ２がより好ましい。
【００５０】
図１１に示すキャップ２Ｃは、底面２１に対して傾斜したほぼ平坦な斜面である頂面４２ａを有するほぼ円柱状の盛り上がり部４２及び頂面４２ａ全体に設けられた色領域４３を有している。色領域４３は一部がシールリング１５よりも高い位置にあり、他部がシールリング１５よりも低い位置にあるので、内側側面２２との境界近傍の液面が全周にわたって濃く着色されたように見えるのではなく、ほぼ半周分が濃く着色されたように見え易くなる。このため、着色されない部分とのコントラストから、濃く着色された液面の動きを視認し易くなるので、視認性及び計量性を向上させ得る。
【００５１】
図１２は、本発明の第３実施形態のキャップ３の概略構成を示す模式図である。図１３〜図１５は、それぞれキャップ３の変形例３Ａ〜３Ｃの概略構成を示す模式図である。なお、図１３〜図１５では計量マーク２４の図示を省略しているが、実際にはキャップ３と同じ位置に計量マークを設けている。
【００５２】
図１２に示すキャップ３は、シールリング１５を有さず、底面２１全体に色領域４４を設けている。図１３に示すキャップ３Ａは、底面２１のシールリング１５で囲まれた領域全体に色領域４５を設けている。このように、底面２１に盛り上がり部を設けることなく色領域４４、４５を直接設けた場合には、内側側面２２との境界近傍の液面のみが着色されて見える色の濃さはやや低くなるものの、色領域４４、４５を設けない場合に比べて液面の視認性は確実に向上する。本実施形態では、底面２１のみを色領域４４、４５としているが、これに限定されず、底面２１とその近傍の内側側面２２に色領域を設けてもよい。内側側面２２に設けられる色領域としては、例えば、円環状色領域、複数の色領域断片が所定の間隔を空けて周方向に配列された色領域等が挙げられる。
【００５３】
図１４に示すキャップ３Ｂは、底面２１のシールリング１５で囲まれた領域全体及びシールリング１５の内側側面１５ａ全体に色領域４６を設け、かつ、内側側面２２の上端部から所定幅の円環状着色領域２７を設けている。円環状着色領域２７の幅は特に限定されず、本実施形態のように該領域２７の中に計量マークが存在するように構成してもよく、また、該領域２７の上端に計量マークが存在するように構成してもよい。内側側面２２に上下方向に幅のある該領域２７を設けることにより、透明性液状物を注ぎ込む途中で液面が変色して見えるので、計量終了の予告機能が得られる。本実施形態では、シールリング１５の内側側面１５ａを色領域４６の一部としているが、これに限定されず、該内側側面１５ａを色領域とせず、底面２１のみを色領域としてもよい。
【００５４】
本実施形態において、色領域４６と円環状着色領域２７とは同色でも異色でも良く、同色の場合には同じ濃さでも異なる濃さでも良いが、視認性の観点から、異色とすることが好ましく、色領域４６を円環状着色領域２７よりも異色で濃い色とすることがより好ましい。色領域４６と円環状着色領域２７とを異色とする場合は、液面は２つの色を混合した第３の色に変色して見えることで視認性が向上する。例えば、色領域４６を黄色とし、円環状着色領域２７を緑色とすれば、液面はこれらよりも濃い青緑色に見え、視認性が向上する。
【００５５】
図１５に示すキャップ３Ｃは、底面２１のシールリング１５で囲まれた領域全体に設けた色領域４５と、色領域４５の表面に接しかつシールリング１５の内側側面１５ａと離隔するように設けた円柱状透明部材２８とを有している。円柱状透明部材２８は、内側側面２２との境界近傍の液面のみが濃く着色されて見える本発明の効果を損なうことなく、キャップ３Ｃを容器本体の口部（不図示）に装着した場合に、キャップ３Ｃと口部との気密性を向上させ得る。円柱状透明部材２８の頂面２８ａは本実施形態では底面２１に対してほぼ平行な平坦な面であるが、これに限定されず、凸面、凹面、斜面等でもよい。
【００５６】
図１６は本発明の第４実施形態のキャップ４の概略構成を示す模式図である。図１７〜図１９は、それぞれキャップ４の変形例４Ａ、４Ｂ、４Ｃの概略構成を示す模式図である。
【００５７】
図１６に示すキャップ４は、底面２１のシールリング１５で囲まれた領域全体に色領域４５を設け、かつ、内側側面２２には２段の円環状段差２６を計量マーク２４として設けている。キャップ４によれば、内側側面２２との境界近傍の液面のみが濃く着色されて見える効果と、円環状段差２６の水平面２６ａが着色されずに液中で浮き上がったように見える効果とが得られる。従って、２面ある水平面２６ａのうち、上段側に位置する水平面２６ａを計量目標とすれば、下段側に位置する水平面２６ａが液中で浮き上がって見えることが計量終了の予告機能を果たすことになるので、一層正確な計量が可能になる。
【００５８】
本実施形態では円環状段差２６を設けているが、これに限定されず、例えば、内側側面２２の周方向に所定間隔を空けて複数の所定長さの段差片を設けてもよく、円周方向の一部のみに所定長さの段差片を設けてもよい。また、本実施形態では、２段からなる段差２６を設けているが、これに限定されず、１段以上の任意の段差数とすることができる。段差を一段としても、段差が浮き上がって見え始めた液面の位置を計量目標とすれば、ほぼ正確な計量は可能である。また、本実施形態では、水平面２６ａを有する段差２６を設けているが、斜面を有する段差を設けてもよい。
【００５９】
図１７に示すキャップ４Ａは、一段段差４７と斜面４８とが内側側面２２の周方向に交互に複数ずつ配置された計量マーク２４を有している。一段段差４７には、該段差４７の延びる方向に対してほぼ垂直な方向に凹むスリット４７ａが複数形成されている。キャップ４Ａに透明性液状物を注ぎ込んだ場合に、段差４７に形成された複数のスリット４７ａは、色領域４５と同色で濃く鮮やかに視認でき、一方、斜面４８は色領域４５の色には着色されないので、このコントラストから、段差４７の水平面と液面との一致を容易に視認できるようになり、計量性が向上する。
【００６０】
図１８に示すキャップ４Ｂは、内側側面２２の周方向にほぼ線状に延びる一段段差４９を計量マーク２４として有している。一段段差４９には、該段差４９の延びる方向に対してほぼ垂直な方向に凹んだスリット４９ａが該段差４９の全周にわたって複数形成されている。スリット４９ａはスリット４７ａと同じ効果を示すので、段差４９と液面との一致を容易に視認できるようになり、計量性が向上する。
【００６１】
図１９に示すキャップ４Ｃは、断面視ほぼ直角三角形状でありかつ底面２１に対してほぼ平行な水平面５０ａを有する一段段差５０と、数字記号「１０」が凹設された斜面５１とが内側側面２２の周方向に交互に複数ずつ配置された計量マーク２４を有している。キャップ４Ｃに透明性液状物を注ぎ込んだ場合に、一段段差５０及び斜面５１は色領域４５の色には着色されないが、数字記号「１０」は斜面５１に凹設されているため、濃く鮮明に着色されて見える。このため、数字記号「１０」と液面との一致を容易に視認できるようになり、計量性が向上する。
なお、上記した各実施形態における色領域は、色領域１４と同じ構成を採ることができる。
【００６２】
本発明の別の実施形態である容器は、透明性液状物をキャップに注ぎ込むための口部を有する液状物充填用の容器本体と、該口部に嵌合手段を介して着脱可能に装着されるキャップとを備え、キャップが上記した本発明のキャップであることを特徴とする。
【００６３】
本発明の容器に充填される液状物としては、透明性であれば特に限定されないが、例えば、洗口液等の液状化粧品や液状医薬部外品、うがい薬等の液状医薬品、液状農薬、洗濯用、家庭用、家具・建物用の各洗剤等が挙げられるが、液状化粧品、液状医薬部外品、液状医薬品等が好ましい。
【００６４】
本発明の容器は、上記した色領域を有する本発明のキャップを倒立状にして透明性液状物の計量に用いることにより、液面の視認性が向上し、所定液量をほぼ正確にかつ容易に計量できる。本発明の容器は透明性材料及び不透明性材料のいずれから構成してもよいが、不透明性材料で構成することが好ましい。不透明性材料から構成することにより、変質等を伴うことなく、耐光性が十分ではない液状物を長期間にわたって安定的に保存できるようになる。
【００６５】
（実験例１）
（１）実験用キャップ
図２０は、実験用キャップ６０Ａ〜６０Ｄの概略構成を示す模式斜視図である。（ａ）の実験用キャップ６０Ａは、側壁１２の内側側面２２上端及びその近傍に帯状色領域６１（面積１６２０ｍｍ２）を円環状に設けている。（ｂ）の実験用キャップ６０Ｂは、側壁１２の内側側面２２における上下方向のほぼ中央部に帯状着色領域６２（面積５６３ｍｍ２）を円環状に設けている。（ｃ）の実験用キャップ６０Ｃは、側壁１２の内側側面２２下端及びその近傍に帯状着色領域６３（面積３８７ｍｍ２）を円環状に設けている。実験用キャップ６０Ａ〜６０Ｃは比較用サンプルである。（ｄ）の実験用キャップ６０Ｄは、シールリング１５で囲まれた底面２１に色領域６４（面積３３２ｍｍ２）を設けており、本発明キャップのサンプルである。なお、帯状着色領域６１、６２、６３及び色領域６４の色は、同色（緑色）とした。また、実験用キャップ６０Ａ〜６０Ｄとは別に、全体が着色されておらず、実験用キャップ６０Ａ〜６０Ｄと同寸法のブランク用白色キャップ（色領域及び帯状着色領域なし）についても下記実験を実施した。
【００６６】
（２）液面色度の測定
実験用キャッブ６０Ａ〜６０Ｄ及びブランク用白色キャップの内側側面２２において、嵌合部（ねじ切り）が終わる部分から図２０（ｄ）に示す黒丸で囲んだ四角形の領域６６が浸るまで水を注いだ状態で領域６６のカラー写真を撮影し、得られたカラー写真から領域６６の平均色を、画像処理ソフト（商品名：Ａｄｏｂｅ  Ｐｈｏｔｏｓｈｏｐ、アドビ社製）を用い、Ｌ＊ａ＊ｂ値にて数値化し、Ｌ−ａ−ｂ三次元マッピング化し、液面色度とした。
【００６７】
（３）側面色度
実験用キャッブ６０Ａ〜６０Ｄ及びブランク用白色キャップについて、上記領域６６が浸るまで水を注いだ状態で、該領域６６が終わる部分から内側側面２２の上端までの白丸で囲んだ四角形の領域６５（図２０（ｄ））のカラー写真を撮影し、得られたカラー写真から領域６５の平均色を上記（２）と同様にしてＬ＊ａ＊ｂ値にて数値化し、Ｌ−ａ−ｂ三次元マッピング化し、側面色度とした。
【００６８】
（４）液面色度の補正
上記で得られた液面色度及び側面色度から、液面色度と側面色度との距離（差）を求めて上記液面色度を補正し、得られた補正値（距離）を各キャップにおける液面の真の着色度とした。真の着色度の値が大きいほど、着色して見える度合いが高まることを示している。結果を図２１に示す。
【００６９】
図２１から、底部（底面２１）に面積が最小の色領域６４を設けたキャップ６０Ｄは、内側側面２２の上部（上端及びその近傍）、内側側面２２の中部（下方向のほぼ中央部）及び内側側面２２の下部（下端及びその近傍）にそれぞれ帯状着色領域６１〜６３を設けたキャップ６０Ａ〜６０Ｃに比べて、液面色度と側面色度との距離（差）である液面の着色度が大きくなった。この結果から、液面の着色度は、色領域又は帯状着色領域の面積よりも、それらを設ける位置により大きな影響を受けることが分かる。より具体的には色領域を内側側面２２よりも底面２１に設けることにより液面が着色されて見える度合いが顕著に高まる。
【００７０】
（実験例２）
実験例１と同じ白色キャップ、上記キャップ１、１Ａ、１Ｂ、１Ｄ、２Ａ及び３Ａについて、実験例１と同様にして、液面色度と側面色度との距離（差）を求めた。なお、各キャップの色領域の色は緑色とした。結果を図２２に示す。図２２から、本発明のキャップ１、１Ａ、１Ｂ、１Ｄ、２Ａ及び３Ａは液面の着色度が高く、特にキャップ１及びその変形例であるキャップ１Ａ、１Ｄの液面着色度が高く、キャップ１Ａの液面着色度が顕著に高いことが分かる。
【００７１】
（実験例３）
実験例１と同じ白色キャップ、上記キャップ１Ａ及び３Ａについて、実験例１と同様にして、液面色度と側面色度との距離（差）を求めた。なお、各キャップの色領域の色は赤色とした。結果を図２３に示す。図２３から、本発明のキャップ１Ａ及び３Ａは液面の着色度が高く、特にキャップ１の変形例であるキャップ１Ａの液面着色度が顕著に高いことが分かる。この結果から、色領域の色として、緑色だけでなく、赤色も非常に有効であることが分かる。
【符号の説明】
【００７２】
１Ａ、１Ｂ、１Ｃ、１Ｄ、１Ｅ、１Ｆ、２、２Ａ、２Ｂ、２Ｃ、３、３Ａ、３Ｂ、３Ｃ、４、４Ａ、４Ｂ、４Ｃ  計量キャップ
１０  開口部
１１  底壁
１２  側壁
１３、３０、３２、３４、３６、３８、４０、４２  盛り上がり部
１３ａ、３０ａ、３４ａ、３６ａ、３８ａ  基部
１３ｂ、３０ｂ、３４ｂ、３６ｂ、３８ｂ  頂部
１４、３１、３３、３５、３７、３９、４１、４３、４４、４５、４６  色領域
１５  シールリング
１５ａ  シールリングの内側側面
２１  底面
２２  内側側面
２３  外側側面
２４  計量マーク
２５  嵌合部
２６  円環状段差
２６ａ、５０ａ  水平面
２７  円環状着色領域
２７ａ  頂面
２８  円柱状透明部材
４０ａ、４２ａ  頂面
４７、４９、５０  段差
４７ａ、４９ａ  スリット
４８、５１  斜面
【図１】
2018151410.tif 000003
【図２】
2018151410.tif 000004
【図３】
2018151410.tif 000005
【図４】
2018151410.tif 000006
【図５】
2018151410.tif 000007
【図６】
2018151410.tif 000008
【図７】
2018151410.tif 000009
【図８】
2018151410.tif 000010
【図９】
2018151410.tif 000011
【図１０】
2018151410.tif 000012
【図１１】
2018151410.tif 000013
【図１２】
2018151410.tif 000014
【図１３】
2018151410.tif 000015
【図１４】
2018151410.tif 000016
【図１５】
2018151410.tif 000017
【図１６】
2018151410.tif 000018
【図１７】
2018151410.tif 000019
【図１８】
2018151410.tif 000020
【図１９】
2018151410.tif 000021
【図２０】
2018151410.tif 000022
【図２１】
2018151410.tif 000023
【図２２】
2018151410.tif 000024
【図２３】
2018151410.tif 000025